(57)【要約】      （修正有）【課題】屈曲するガイドチューブであっても、ガイドチューブ内で引掛かってしまうことなく挿入できるレリースワイヤ挿入用ガイド治具を提供する。【解決手段】操作釦３によるレリースワイヤ５を介して遠隔操作で、排水栓４の昇降による排水口の開閉がされる遠隔操作式排水栓装置において、レリースワイヤ挿入用ガイド治具１は、操作釦の操作がされる操作側から排水栓の昇降がされる作動側へ配設したガイドチューブ２にレリースワイヤ５を挿通させるに当っては、ガイド棒１１がレリースワイヤ５の作動部５１をガイドチューブ２に挿通ガイドし、筒状装着部１２はガイド棒１１の一端にレリースワイヤ５の作動部５１が嵌合装着され、ガイド棒１１の他端の挿入頭１３がガイド棒１１をガイドする。【選択図】図１
2010248874.tif 000002
【特許請求の範囲】
【請求項１】
操作釦によるレリースワイヤを介しての遠隔操作で、排水栓の昇降による排水口の開閉がされる遠隔操作式排水栓装置において、操作釦の操作がされる操作側から排水栓の昇降がされる作動側へ配設したガイドチューブにレリースワイヤを挿通させるに当って用いられる治具が、レリースワイヤの作動部をガイドチューブに挿通ガイドするガイド棒と、該ガイド棒の一端にレリースワイヤの作動部が嵌合装着される装着部と、該ガイド棒の他端にガイド棒をガイドする挿入頭とでなることを特徴とするレリースワイヤ挿入用ガイド治具。
【請求項２】
操作釦によるレリースワイヤを介しての遠隔操作で、排水栓の昇降による排水口の開閉がされる遠隔操作式排水栓装置において、レリースワイヤの作動部を排水口に支持される支持部材へ固定させるために挿通ガイドするガイド棒と、該ガイド棒の一端に該レリースワイヤの作動部が嵌着接合される筒状装着部と、そして、そのガイド棒の他端にガイド棒をガイドする挿入頭とでなることを特徴とするレリースワイヤ挿入用ガイド治具。
【請求項３】
ガイド棒が半硬質の可撓性細棒であって、その一端の装着部がレリースワイヤの作動部のシャフトを嵌着接続する釣鐘形筒状体であり、そして、その他端の挿入頭が球状ガイド玉であることを特徴とする請求項１乃至２のいずれか１項に記載のレリースワイヤ挿入用ガイド治具。
【請求項４】
ガイド棒が細い可撓性のバネ棒であって、その一端の装着部は、支持部材にレリースワイヤの作動部を挿通できる外径とすると共に、レリースワイヤの作動部のシャフトを嵌合できる内径とする釣鐘形筒状体であり、該釣鐘形筒状体には少なくとも２本の軸方向のスリットを刻設し、その内周面には、作動部のシャフト外周の溝に係止するリブが設けられ、そして、ガイド棒のその他端の挿入頭は、支持部材にレリースワイヤの作動部を挿通できる外周径の球状ガイド玉であることを特徴とする請求項１乃至３のいずれか１項記載のレリースワイヤ挿入用ガイド治具。
【発明の詳細な説明】
【技術分野】
【０００１】  本発明は、排水栓の昇降による排水口の開閉がレリースワイヤを介して遠隔操作される遠隔操作式排水栓装置において、操作釦の操作がされる操作側から排水栓の昇降操作がされる作動側へ配設したガイドチューブに前記レリースワイヤを挿通し、そして、該レリースワイヤの作動部を排水口金具に支持するために設けられる支持部材へ装着できるようガイド挿入がされるレリースワイヤ挿入用ガイド治具に係るものである。
【背景技術】
【０００２】
【先行技術文献】
【特許文献】
【特許文献】  レリースワイヤは、アウターチューブと、これに挿通して摺動自在のコアコイルとからなり、該コアコイルの先端が、レリースワイヤの施工挿入ガイドの際に、屈曲してしまわないようするためにコアコイルの先端にはシャフトを備え、そして、アウターチューブの端部に係合部材を設け、該係合部材にはシャフトカバーが接続され、前記シャフトをカバーするもの（特許文献１）がある。  また、可撓性線材を挿入ガイドする部材として編針（特許文献２）などがある。
【０００３】
【特許文献１】  特開２００７−３２０３０
【特許文献２】  特開平７−１６６４５１
【発明の概要】
【発明が解決しようとする課題】
【０００４】  レリースワイヤの作動部としては、コアコイルの先端にシャフトを備え、アウターチューブの端部には該シャフトがカバーされるシャフトカバーを接続したもの（特許文献１）があったとしても、これ自体がガイドチューブに挿通され、支持部材に挿入固定し得られるに十分な満足いくものでなく、結局、これ自体ではレリースワイヤをガイド挿入できるものでなく、作業困難で、確実な作業結果を得ることができない。
また、可撓性線材を挿入ガイドする部材としての編針（特許文献２）があったとしても、それは編み物を編むという特定分野に係る治具であって、可撓性線材を挿入ガイドするという機能は類似するものの、アウターチューブとコアコイルからなるレリースワイヤをガイドチューブに挿通し、支持部材にガイド挿入固定するガイド治具とは本質的機能構成が異なり、しかも、目的も相違し、効果的結果を得られるものではない。
【課題を解決するための手段】
【０００５】  本発明のレリースワイヤ挿入用ガイド治具は、操作釦によるレリースワイヤを介しての遠隔操作で、排水栓の昇降による排水口の開閉がされる遠隔操作式排水栓装置において、操作釦の操作がされる操作側から排水栓の昇降がされる作動側へ配設したガイドチューブにレリースワイヤを挿通させるに用いられるものであって、レリースワイヤの作動部をガイドチューブに挿通ガイドするガイド棒と、該ガイド棒の一端にレリースワイヤの作動部が嵌合装着される装着部と、そして、該ガイド棒の他端にガイド棒をガイドする挿入頭とでなるものである。【０００６】  本発明のレリースワイヤ挿入用ガイド治具は、レリースワイヤの作動部を排水口に支持される支持部材へ固定させるために挿通ガイドするガイド棒と、該ガイド棒の一端に該レリースワイヤの作動部が嵌着接合される筒状装着部と、そして、そのガイド棒の他端にガイド棒をガイドする挿入頭とでなるものである。【０００７】  本発明のレリースワイヤ挿入用ガイド治具は、ガイド棒が半硬質の可撓性細棒であって、その一端の装着部がレリースワイヤの作動部のシャフトを嵌着接続するガイド棒より曲面をもって大きい径にした釣鐘形筒状体であり、そして、その他端の挿入頭が球状ガイド玉とされるものである。【０００８】  本発明のレリースワイヤ挿入用ガイド治具は、ガイド棒が細い可撓性のバネ棒であって、その一端の装着部は、支持部材にレリースワイヤ作動部を円滑に挿通できる外径とすると共に、レリースワイヤの作動部のシャフトを嵌合できる内径とする釣鐘形筒状体であり、該釣鐘形筒状体には少なくとも２本の軸方向のスリットを刻設し、その内周面には、作動部のシャフト外周の溝に係合するリブが設けられ、そして、ガイド棒のその他端の挿入頭は、支持部材にレリースワイヤの作動部を挿通できる外周径の球状ガイド玉とするものである。
【発明の効果】
【０００９】  本発明のレリースワイヤ挿入用ガイド治具は、レリースワイヤの作動部をガイドチューブに挿通ガイドするガイド棒と、該ガイド棒の一端にはレリースワイヤの作動部が嵌合装着される装着部と、そして、該ガイド棒の他端にはガイド棒をガイドする挿入頭とでなることによって、ワンタッチで該ガイド治具をレリースワイヤに装填することができ、そして、操作釦の操作がされる操作側から排水栓の昇降がされる作動側へ配設されたガイドチューブに、簡単かつ容易に挿通することができ、しかも、挿入頭がガイドしてガイド棒を誘導し、それに接続する可撓性のレリースワイヤをガイドチューブ内へガイドするので、屈曲するガイドチューブであっても、該ガイドチューブ内で引掛かってしまうことなく挿入することができる。【００１０】  本発明のレリースワイヤ挿入用ガイド治具は、レリースワイヤの作動部を排水口に支持される支持部材へ固定させるために挿通ガイドするガイド棒と、該ガイド棒の一端にレリースワイヤの作動部が嵌着接合される筒状装着部と、そして、そのガイド棒の他端にガイド棒をガイドする挿入頭とでなることによって、ワンタッチでレリースワイヤの作動部をガイド治具に嵌着接合することができ、このガイド治具をもって支持部材へ挿入すると、挿入頭が簡単かつ容易に支持部材を挿通して突出され、これを引張ることによって、筒状装着部に嵌着接合されているレリースワイヤの作動部が支持部材に引込まれ、ワンタッチで、簡単かつ容易に挿通固定することができる。【００１１】  本発明のレリースワイヤ挿入用ガイド治具は、ガイド棒が半硬質の可撓性細棒であって、その一端の装着部がレリースワイヤ作動部のシャフトを嵌着接続するガイド棒より曲面をもって大きい径にした釣鐘形筒状体であり、そして、その他端の挿入頭が球状ガイド玉であるので、ワンタッチでガイド治具を作動部のシャフトへ確実かつ堅固に接続でき、そして、半硬質の可撓性細棒であるガイド棒と、その一端に有する球状ガイド玉とでなるガイド治具を用いることによって、屈曲したガイドチューブであっても、ガイド棒が長いのでガイド治具自身が屈曲ガイドして進む故、困難なく挿通させることができる。
支持部材に装着する場合、挿入頭を支持部材に挿入、突出させることによってワンタッチでレリースワイヤの作動部を支持部材に取付け施工することができる。即ち、ガイド治具の挿入頭が支持部材へ挿通し、顕出されると、この顕出した部分を単に引張ることによってガイド治具の釣鐘形筒状体で嵌着接続されているレリースワイヤの作動部を支持部材へ引き込み、装着部がガイド棒より曲面をもって大きい径の釣鐘形筒状体にされているので、引っ掛ることなく容易にワンタッチで装着させることができる。
また、支持部材への偏向した挿入であっても、ガイド棒が半硬質の可撓性細棒で、その長いガイド棒の先端に球状ガイド玉の挿入頭を有するものであるので屈曲ガイドすることができ、ワンタッチの取付け施工をすることができる。【００１２】  本発明のレリースワイヤ挿入用ガイド治具は、ガイド棒が細い可撓性のバネ棒であるので、ガイドチューブへの挿通に当って、レリースワイヤが略直角への方向転換されなければならない場合であっても屈曲ガイドし、簡単かつ容易に挿通することができる。また、支持部材への偏向した挿入であっても屈曲ガイドして、ワンタッチでの装着固定をすることができる。
そして、ガイド棒の一端の装着部は、釣鐘形筒状体に少なくとも２本の軸方向のスリットが刻設され、その内周面には、作動部のシャフト外周の溝に係止するリブが設けられているので、レリースワイヤのガイド治具との嵌合がワンタッチで、簡単かつ容易に、しかも、確実、堅固にできる。
そしてまた、装着部の筒状体外径が、レリースワイヤの作動部の外径よりも小さくすることによって、支持部材の挿通に支障を生じない。
更に、ガイド棒の他端には球状ガイド玉が形成されていることによって、大きな偏向角度からの支持部材への挿入であったとしても引っ掛からずに挿通ガイドすることができることになる。
【図面の簡単な説明】
【００１３】
【図１】  遠隔操作式排水栓装置におけるガイドチューブにレリースワイヤ挿入用ガイド治具をもってレリースワイヤが挿通される状態図である。
【図２】  レリースワイヤ挿入用ガイド治具がレリースワイヤに装填された状態図である。
【図３】  排水口金具に支持される支持部材にレリースワイヤ挿入用ガイド治具をもってレリースワイヤが挿通される状態図である。
【図４】  レリースワイヤ挿入用ガイド治具の全体図である。
【図５】  レリースワイヤ挿入用ガイド治具の断面図である。
【図６】  レリースワイヤ挿入用ガイド治具の装着部の拡大断面図である。
【発明を実施するための形態】
【実施例１】
【００１４】  本発明のレリースワイヤ挿入用ガイド治具１は、図１、図２に示す如く、操作釦３の操作される操作側から排水栓４の昇降される作動側に配設するガイドチューブ２にレリースワイヤ５が挿通されるが、この挿通するに当って、レリースワイヤ５の作動部５１には、ガイド棒１１と、該ガイド棒の一端の装着部１２と、該ガイド棒の他端の挿入頭１３とからなるレリースワイヤ挿入用ガイド治具１がワンタッチで取付けられ、該ガイド治具の挿通ガイドによってガイドチューブ２にレリースワイヤ５を挿通する。該ガイドチューブにレリースワイヤ５を挿通するに当って、該レリースワイヤが略直角へ方向転換されなければならない場合５２であっても、ガイド治具１のガイド棒１１が細くて長い可撓性のバネ棒であるので、簡単かつ容易に挿通させることができる。
ガイドチューブ２に挿通するレリースワイヤ５はアウターチューブ５０１と、これに挿通、摺動自在のコアコイル５０２とからなり、そのレリースワイヤの一方端に排水栓４を昇降させる作動部５１が備えられ、他方端に操作釦３の操作を受ける操作部５３が備えられている。そして、コアコイルの先端にはシャフト５０３，５０４が備えられ、アウターチューブ５０１に接合されたシャフトカバー５０５，５０６より顕出している。
【実施例２】
【００１５】  本発明のレリースワイヤ挿入用ガイド治具１は、図３に示す如く、レリースワイヤ５を介しての遠隔操作で排水栓４の昇降による排水口６の開閉がされる遠隔操作式排水栓装置において、レリースワイヤ５の作動部５１を排水口６の排水口金具８に支持される支持部材７へ固定するために挿通ガイドするものであって、支持部材７へ挿通ガイドするガイド棒１１と、該ガイド棒の一端にレリースワイヤ５の作動部５１が嵌着接続される釣鐘形筒状装着部１２と、そして、そのガイド棒１１の他端にガイド棒１１をガイドする挿入頭１３とでなる。【００１６】  そこで、レリースワイヤの作動部５１が、釣鐘形筒状装着部１２にワンタッチで嵌合接続されたレリースワイヤ挿入用ガイド治具１を支持部材７に挿通させる。
挿入頭１３のガイドでガイド棒１１が支持部材７に挿入され、該支持部材より挿入頭１３を突出する。この突出した挿入頭１３を引張ることによって筒状装着部１２に嵌着接続されているレリースワイヤ５の作動部５１が支持部材７に引込まれ、釣鐘形筒状装着部１２がガイド棒１１より曲面をもって大きい径にされているので引っ掛ることなく、ワンタッチで挿通固定される。
【実施例３】
【００１７】  レリースワイヤ挿入用ガイド治具１は、図４、図５、図６に示す如く、ガイド棒１１と、その一端の装着部１２と、そして、その他端の挿入頭１３とで構成される。
ガイド棒１１が細く長い可撓性のバネ棒であって、その一端の装着部１２がレリースワイヤの作動部５１のシャフト５０３を嵌着接続する釣鐘形筒状体である。この釣鐘形筒状体は、ガイド棒１１より曲面１２３をもって大きい径にされた釣鐘形であって、支持部材７にレリースワイヤの作動部５１を挿通できる外径とすると共に、レリースワイヤの作動部のシャフト５０３を嵌合できる内径とする筒状体であり、該筒状体には少なくとも２本の軸方向のスリット１２１を刻設し、その内層面にはコアコイル先端のシャフト５０３外周の溝に係止するリブ１２２が設けられる。
そして、ガイド棒１１の他端の挿入頭１３が球状ガイド玉であって、支持部材７にレリースワイヤの作動部５１を挿通できる外周径のものである。【００１８】  レリースワイヤ５の施工挿入ガイドの際には、レリースワイヤ挿入用ガイド治具１がその釣鐘形筒状体の装着部１２をレリースワイヤの作動部５１のシャフト５０３に嵌着接続され、装着部１２の釣鐘形筒状体にはスリット１２１を刻設し、作動部５１のシャフト５０３に嵌着するリブ１２２を設けているので、ワンタッチで簡単かつ容易な接続をすることができる。【００１９】  レリースワイヤ５をガイドチューブ２に挿通する際には、球状ガイド玉の挿入頭１３がガイド棒１１をガイドして挿入され、ガイド棒１１が細く長い可撓性バネ棒であるので、レリースワイヤ５を略直角へ方向転換しなければならない場合でも簡単かつ容易に挿通させることができる。【００２０】  レリースワイヤ５を支持部材７に挿通固定させる際には、レリースワイヤ５のコアコイル先端のシャフト５０３を顕出している作動部５１がそのシャフトを釣鐘形筒状装着部１２にワンタッチ嵌着させて接続されたレリースワイヤ挿入用ガイド治具１をもって、その球状ガイド玉である挿入頭１３が支持部材７に挿通され、該支持部材より突出させ、該突出した挿入頭１３を引張ることによって釣鐘形筒状装着部１２に嵌着接続されているレリースワイヤの作動部５１が支持部材７に引込まれ、ワンタッチで簡単かつ容易に挿通固定できる。【００２１】  なお、ガイド治具１のガイド棒１１に目盛を印すことによって、支持部材７にレリースワイヤの作動部５１が挿通固定される際、排水栓のリフト量を測定することができ、このようなリフトゲージをレリースワイヤ挿入用ガイド治具に付加することが可能である。
【符号の説明】
【００２２】１        レリースワイヤ挿入用ガイド治具
１１      ガイド棒
１２      装着部
１２１    スリット
１２２    リブ
１２３    曲面
１３      挿入頭
２        ガイドチューブ
３        操作釦
４        排水栓
５        レリースワイヤ
５０１    アウターチューブ
５０２    コアコイル
５０３    シャフト
５０４    シャフト
５０５    シャフトカバー
５０６    シャフトカバー
５１      作動部
５２      レリースワイヤが略直角へ方向転換されなければならない場合
５３      操作部
６        排水口
７        支持部材
８        排水口金具
【図１】
2010248874.tif 000003
【図２】
2010248874.tif 000004
【図３】
2010248874.tif 000005
【図４】
2010248874.tif 000006
【図５】
2010248874.tif 000007
【図６】
2010248874.tif 000008